(57)【要約】【課題】ゴム栓のコネクタハウジングへの嵌入時に、ゴム栓が傷つかないような係合凹部を備えた防水用コネクタを提供する。【解決手段】本発明は、端子金具４０を収容するキャビティ２２を備えたコネクタハウジング２１と、このコネクタハウジング２１に一体に設けられ前記端子金具４０に接続される電線４１が挿通される電線挿通筒部２４と、前記電線４１に嵌合されて前記電線４１の外周面と前記電線挿通筒部２４の内周面との間を液密にシールするゴム栓４２と、前記ゴム栓４２の前記電線挿通筒部２４からの抜け止めを図るバックリテーナ５０と、前記バックリテーナ５０の外周面に突設された係合突部５４と、前記電線挿通筒部２４に形成され前記係合突部５４が係止する係合凹部３０とを備え、前記電線挿通筒部２４の内周面において開口する前記係合凹部３０の開口縁部３１のうち少なくとも前記電線挿通筒部２４の軸方向に対して交差する方向のキャビティ側開口縁部３１Ａには面取り部３２が形成されていることを特徴とする。【選択図】図５
2010246339.tif 000002
【特許請求の範囲】
【請求項１】
端子金具を収容するキャビティを備えたコネクタハウジングと、
このコネクタハウジングに一体に設けられ前記端子金具に接続される電線が挿通される電線挿通筒部と、
前記電線に嵌合されて前記電線の外周面と前記電線挿通筒部の内周面との間を液密にシールするゴム栓と、
前記ゴム栓に対して前記キャビティとは反対側に位置して前記電線挿通筒部内に装着されるバックリテーナと、
前記バックリテーナの外周面に突設された係合突部と、
前記電線挿通筒部に形成され前記係合突部が係止されて前記バックリテーナの抜け止めが行われる係合凹部とを備え、
前記電線挿通筒部の内周面において開口する前記係合凹部の開口縁部のうち少なくとも前記電線挿通筒部の軸方向に対して交差する方向の開口縁部は面取り形状をなす面取り部とされていることを特徴とする防水コネクタ。
【請求項２】
前記係止凹部は前記電線挿通筒部を貫通する角孔として形成され、その角孔の開口縁部の対向二辺が前記電線挿通筒部の軸方向に対して直交するように配置され、前記電線挿通筒部の軸方向に対して直交する前記対向二辺の開口縁部のうち前記ゴム栓側に近い側に位置する開口縁部のみに前記面取り部が形成され、他辺の開口縁部は直角形状とされていることを特徴とする請求項１記載の防水コネクタ。
【請求項３】
前記電線挿通筒部の軸方向に対して直交する前記対向二辺の開口縁部のうち先端開口縁部側に位置する開口縁部と、前記電線挿通筒部の先端開口縁部との間には、前記面取り形状の幅寸法に対応した寸法のガイド溝が形成されていることを特徴とする請求項２記載の防水コネクタ。
【請求項４】
前記面取り部の面取り形状は、円筒面であることを特徴とする請求項１ないし請求項３のいずれか一項に記載の防水コネクタ。
【発明の詳細な説明】
【技術分野】
【０００１】
本発明は、防水コネクタに関する。
【背景技術】
【０００２】
例えば電気自動車等において金属製のケースに収容されたモータ等の機器に電力を供給するための防水コネクタとして、特許文献１に記載のものが知られている。
この防水コネクタは、前端部に板状の接続部が形成され、後端部に電線圧着部が形成された端子金具と、この端子金具が後方から嵌合されるコネクタハウジングとを備えている。
コネクタハウジングは合成樹脂製であって、内部には前後に貫通して電線の端末部に固着された端子金具を個別に収容可能な３つのキャビティが横並びに形成されている。
【０００３】
端子金具がキャビティに後方から収容された後、各電線に予め嵌合されたゴム栓がコネクタハウジングの後端部である電線挿通筒部に嵌合され、電線挿通筒部の内周面と電線の外周面とが液密にシールされる。ゴム栓は、内側に電線を挿通可能な略円筒状に形成されるとともに、その内周と外周には、それぞれ電線の外周面とコネクタハウジングの内周面に密着するように複数条のリップが膨出して設けられることで、電線周りのシールが取られるようになっている。
【０００４】
コネクタハウジングの後端部には、各ゴム栓の抜け止めを一括して図るためのバックリテーナが後方から装着されている。バックリテーナは、合成樹脂製とされ、幅方向に沿って分割した一対の脚部の一端側をヒンジによって連結した構成となっており、このヒンジを中心として両脚部が回動可能とされている。両脚部には、略半円状の凹部が３つずつ設けられ、両脚部を閉じた状態で対応する上下の凹部間に電線が挟まれる。両脚部における上下外面には、係合突部がそれぞれ複数設けられ、これら係合突部がコネクタハウジングの後端部に穿設された係合凹部にそれぞれ係止されることで、バックリテーナはコネクタハウジングに固定されている。
【先行技術文献】
【特許文献】
【０００５】
【特許文献１】特開２００２−２８１６５４号公報
【発明の概要】
【発明が解決しようとする課題】
【０００６】
上記のような構造において、バックリテーナの係合突部がコネクタハウジングの係合凹部に係止されることで、ゴム栓がコネクタハウジングから抜け落ちることを防止している。このように係合凹部は必要不可欠であるものの、係合凹部の開口縁部は鋭利なエッジ状であり、ゴム栓をハウジングに嵌入させる際、上記係合凹部の少なくとも電線挿通筒部の軸方向に対して交差する方向の開口縁部によってゴム栓が傷つけられ、ゴム栓の防水性が低下してしまう虞がある。
本発明は上記のような事情に基づいて完成されたものであって、ゴム栓のコネクタハウジングへの嵌入時に、ゴム栓が傷つくことを防止できる防水コネクタを提供することを目的とする。
【課題を解決するための手段】
【０００７】
本発明は、端子金具を収容するキャビティに備えたコネクタハウジングと、このコネクタハウジングに一体に設けられ前記端子金具に接続される電線が挿通される電線挿通筒部と、前記電線に嵌合されて前記電線の外周面と前記電線挿通筒部の内周面との間を液密にシールするゴム栓と、前記ゴム栓に対して前記キャビティとは反対側に位置して前記電線挿通筒部内に装着されたバックリテーナとを備え、前記バックリテーナの外周面には係合突部が突設され、前記電線挿通筒部に形成され前記係合突部が係止めされて前記バックリテーナの抜け止めが行われる係合凹部を備え、前記電線挿通筒部の内周面において開口する前記係合凹部の開口縁部のうち少なくとも前記電線挿通筒部の軸方向に対して交差する方向の開口縁部は面取り形状をなす面取り部が形成されていることに特徴を有する。
【０００８】
このような構成によれば、ゴム栓をコネクタハウジング内に嵌入させる際に、係合凹部の開口縁部にゴム栓が引っ掛かり、ゴム栓が傷つくことを防止することができる。
【０００９】
前記係止凹部は前記電線挿通筒部を貫通する角孔として形成され、その角孔の開口縁部の対向二辺が前記電線挿通筒部の軸方向に対して直交するように配置され、開口縁部のうち前記キャビティ側に位置する開口縁部のみに前記面取り部が形成され、他辺の開口縁部は直角形状とされていることが望ましい。ゴム栓の挿入時にゴム栓が当接する開口縁部だけに面取り部を形成して、他の開口縁部は直角形状としたことにより、ゴム栓の傷付きを防止しながら、バックリテーナの抜け止め力の低下を効果的に抑制できる。
【００１０】
前記電線挿通筒部の軸方向に対して直交する前記対向二辺の開口縁部のうち電線挿通筒部の開口側に位置する開口縁部と、前記電線挿通筒部の先端開口縁との間には、前記面取り形状の幅寸法に対応した寸法のガイド溝が形成されていることが望ましい。すなわち、ガイド溝に沿ってゴム栓が案内され、面取り部を乗り越えて挿入されることにより、ゴム栓挿入作業が容易になる。また、そのガイド溝を利用して面取り部を形成するための成形型のピンを挿入できるから、面取り部の成型を合理的に行うことができる。
【００１１】
前記面取り形状は、円筒面であってもよい。
【発明の効果】
【００１２】
本発明によれば、ゴム栓の挿入時にゴム栓を傷つけることを防止できるから、防水性が高いコネクタを提供することができる。
【図面の簡単な説明】
【００１３】
【図１】実施形態１における両コネクタの嵌合状態を示す側断面図
【図２】バックリテーナの両脚部が開いた状態を示す正面図
【図３】バックリテーナの両脚部が閉じた状態を示す正面図
【図４】ゴム栓とバックリテーナが嵌合される直前を示す防水コネクタの側断面図
【図５】ゴム栓とバックリテーナが嵌合された状態を示す防水コネクタの側断面図
【図６】図４の係合凹部の拡大図
【図７】図５の係合凹部の拡大図
【発明を実施するための形態】
【００１４】
＜実施形態１＞
本発明の実施形態１を図１ないし図７によって説明する。
本実施形態におけるコネクタは、図示しない機器（例えば、ハイブリッド車等に搭載されたモータやインバータ等）に電力を供給するためのものであり、互いに嵌合・離脱を可能とされた機器側コネクタ１０と、本発明を適用したハーネス側の防水コネクタ２０とを備えている。以下、各構成部材において、両コネクタ１０、２０における嵌合面側を前方とし、また、図１の上側を上方、下側を下方として説明する。なお、機器は、シールド機能を有する金属製のケース６０内に収容されており、ケース６０には、ケース６０の外面側と内面側とを貫通する取付孔６１が形成されている。
【００１５】
機器側コネクタ１０はケース６０内の取付孔６１と対応する位置に固定されている。
機器側コネクタコネクタハウジング１１は合成樹脂製であって、横長の略直方体状をなすフード部１２と、フード部１２の後端部において全周に張り出す板状のフランジ部１３と、フランジ部１３の後面から後方へ突出する形状をなす機器側接続部１４とを備えている。
【００１６】
機器側コネクタ１０には、３本の中継端子１５が保持されており、さらにフランジ部１３にはコネクタ取付部材１６が装着されている。
【００１７】
電線側コネクタハウジング２１の内部には電線４１の端末部に固着された端子金具４０を収容可能な３つのキャビティ２２が横並びに形成されている。各キャビティ２２には、後方から端子金具４０をそれぞれ収容可能とされており、各キャビティ２２の前端部には、端子金具４０に係合して抜け止めを図るランス２３が設けられている。さらにキャビティ２２の後方に位置する電線挿通筒部２４には、電線４１に外嵌されたゴム栓４２の前面を当接させる図示しない前止り部がそれぞれ設けられている。そのゴム栓４２の後方から電線挿通筒部２４内にゴム栓４２の抜け止めを一括して図るためのバックリテーナ５０が電線４１に外嵌された状態で装着されている。
【００１８】
ゴム栓４２は、内側に電線４１を挿通可能な略円筒状に形成されるとともに、その内周と外周には、それぞれ電線４１の外周面端子のキャビティ２２の内面に密着するように複数条のリップが膨出して設けられることで、電線４１周りが液密に封止されている。
【００１９】
バックリテーナ５０は、合成樹脂製とされ、図２に示すように、幅方向に沿って分割した一対の脚部５１の一端側をヒンジ５２によって連結した構成となっており、このヒンジ５２を中心として両脚部５１が回動可能とされている。両脚部５１には、略半円状の凹部５３が３つずつ設けられ、両脚部５１を閉じた状態で対応する図３の上下の凹部５３間に電線４１が挟まれる。両脚部５１における上下外面には、図２，３に示すように、係合突部５４がそれぞれ複数設けられ、これら係合突部５４がコネクタハウジング２１の後端部に形成された係合凹部３０にそれぞれ係止されることで、バックリテーナ５０がコネクタハウジング２１に固定されている。
【００２０】
コネクタハウジング２１の係合凹部３０は、電線挿通筒部２４の軸方向に対して直交する前記対向二辺の開口縁部３１のうちキャビティ側開口縁部３１Ａには面取り部３２が形成されており、それに対向するもう一方の後方開口縁部３１Ｂと、前記電線挿通筒部２４の先端開口縁部２７との間には、面取り形状の幅寸法に対応した寸法のガイド溝３３が形成されている。
【００２１】
コネクタハウジング２１のうち、機器側コネクタ１０のフード部１２内に嵌合可能な前端部は電線側フード部２６とされている。電線側フード部２６の外周面のうち前端部分にはシールリング４３が装着され、電線側フード部２６がフード部１２内に嵌合されると、シールリング４３がフード部１２の内周面に密着してこの間のシールがなされ、フード部１２内への水の浸入が防止される。
なお、コネクタハウジング２１には、コネクタハウジング２１に対して後方から嵌合して装着されるシールドシェル７０が備えられている。
【００２２】
次に、防水コネクタ２０の組み付け手順について説明する。まず、電線４１を圧着した端子金具４０をキャビティ２２内に挿入し、ランス２３に係合させる（図４参照）。予め電線４１に外嵌しておいたゴム栓４２をガイド溝３３に沿って案内しつつ、面取り部３２を乗り越えて挿入させる（図５参照）。この際、係合凹部３０のキャビティ側開口縁部３１Ａは面取り部３２を有するため、ゴム栓４２が傷つくことなく嵌入させることができる。さらに、バックリテーナ５０を電線４１に装着し、コネクタハウジング２１の後方からゴム栓４２に続いて嵌入させ、係合凹部３０に係合突部５４を係止させることで、コネクタハウジング２１にバックリテーナ５０を固定させる。
【００２３】
以上説明した実施形態１によれば、係合凹部３０の電線挿通筒部２４の軸方向に対して直交する対向二辺の開口縁部３１のうちキャビティ側開口縁部３１Ａは面取り部３２を有するため、ゴム栓４２をコネクタハウジング２１内に嵌め込む際、ゴム栓４２を傷つけることなく嵌入させることができる。これにより、防水コネクタ２０を組み立てる際、ゴム栓４２を傷つけることなく、さらにその他係合凹部３０の開口縁部３１は直角形状であるから、バックリテーナ５０の抜け止め力の低下を効果的に抑制でき、ゴム栓４２とキャビティ２２との間は完全にシールすることができる。
【００２４】
＜他の実施形態＞
本発明は上記記述及び図面によって説明した実施形態に限定されるものではなく、例えば次のような実施形態も本発明の技術的範囲に含まれる。
【００２５】
（１）上記実施形態では、係合凹部３０の開口縁部３１のうち電線挿通筒部２４の軸方向に対して交差する方向のキャビティ側開口縁部３１Ａのみ面取り形状をなす面取り部３２とされているが、これに限らず、他の開口縁部３１についても面取り形状をなしていてもよい。
【００２６】
（２）上記実施形態では、電線挿通筒部２４の軸方向に対して直交する対向二辺の開口縁部３１のうち先端開口縁部２７側に位置する後方開口縁部３１Ｂと、電線挿通筒部２４の先端開口縁部２７との間には、面取り形状の幅寸法に対応した寸法のガイド溝３３が形成されているが、ガイド溝３３を形成せずに、面取り部３２を形成してもよい。
【符号の説明】
【００２７】
２０…防水コネクタ
２１…コネクタハウジング
２２…キャビティ
２４…電線挿通筒部
３０…係合凹部
３１…開口縁部
３１Ａ…キャビティ側開口縁部
３２…面取り部
４０…端子金具
４１…電線
４２…ゴム栓
５０…バックリテーナ
５４…係合突部
【図１】
2010246339.tif 000003
【図２】
2010246339.tif 000004
【図３】
2010246339.tif 000005
【図４】
2010246339.tif 000006
【図５】
2010246339.tif 000007
【図６】
2010246339.tif 000008
【図７】
2010246339.tif 000009